(57)【要約】【課題】既にマルチメディアデータの関係付けが行われハイパーリンクが設定された文字列に対して更に別のマルチメディアデータを多重に関係付けることができるマルチメディアデータ用検索インデックスにおけるマルチメディアデータ多重関係付け方法、装置およびプログラムを提供する。【解決手段】クライアント端末に表示されたテキスト文章１０１の中において既に分割マルチメディアデータが関係付けられハイパーリンクが設定されている文字列５０５に対して別の分割マルチメディアデータ１０５ｇを多重に関係付けるために、複数の分割マルチメディアデータ１０５の中から関係付けたい別の所望の分割マルチメディアデータ１０５ｇをマウス操作で選択し、この選択した分割マルチメディアデータ１０５ｇをマウス押下で掴みドラッグして同じ文字列５０５の所まで移動してからマウスを離すことにより文字列５０５に対して別の所望の分割マルチメディアデータ１０５ｇを関係付ける。【選択図】      図３
2005084701.tif 000002
【特許請求の範囲】
【請求項１】
検索インデックス用の文字列に対して複数のマルチメディアデータを関係付けるマルチメディアデータ用検索インデックスにおけるマルチメディアデータ多重関係付け方法であって、
マルチメディアデータに関係付けられている文字列を含むテキスト文章と複数のマルチメディアデータとを表示手段に表示し、
前記文字列に対して別のマルチメディアデータを更に関係付けるために別のマルチメディアデータを複数のマルチメディアデータ中から選択して前記文字列に多重に関係付け、
前記別のマルチメディアデータと文字列との関係付けを別のマルチメディアデータの識別情報と文字列とのマルチメディアデータ関係付け情報として記憶手段に登録する
ことを特徴とするマルチメディアデータ用検索インデックスにおけるマルチメディアデータ多重関係付け方法。
【請求項２】
マルチメディアデータに関係付けられている文字列を含むテキスト文章を表示手段に表示し、
マルチメディアデータとの関係付けを解除したい文字列を指定すると、この指定された文字列に関係付けられたマルチメディアデータとその識別情報が表示手段に表示され、
この表示されたマルチメディアデータとその識別情報の中から関係付けを解除したい任意のマルチメディアデータを選択的に指定すると、この指定されたマルチメディアデータの識別情報と前記文字列で前記記憶手段を検索し、該当するマルチメディアデータ識別情報と文字列とのマルチメディアデータ関係付け情報を記憶手段から消去して解除する
ことを特徴とする請求項１記載のマルチメディアデータ用検索インデックスにおけるマルチメディアデータ多重関係付け方法。
【請求項３】
検索インデックス用の文字列に対して複数のマルチメディアデータを関係付けるマルチメディアデータ用検索インデックスにおけるマルチメディアデータ多重関係付け方法であって、
サムネイル表示された複数のマルチメディアデータとマルチメディアデータが既に関係付けられている文字列を含むテキスト文章とがＷＷＷブラウザにより表示されたクライアント端末において前記文字列に対して別のマルチメディアデータを更に関係付けるために別のマルチメディアデータを複数のマルチメディアデータ中から選択して前記文字列に多重に関係付け、この別のマルチメディアデータと文字列との関係付けを別のマルチメディアデータの識別情報と文字列との対応付け情報としてクライアント端末から受信し、
この受信した別のマルチメディアデータ識別情報と文字列との対応付け情報をマルチメディアデータ関係付け情報として記憶手段に登録する
ことを特徴とするマルチメディアデータ用検索インデックスにおけるマルチメディアデータ多重関係付け方法。
【請求項４】
サムネイル表示された複数のマルチメディアデータとマルチメディアデータが既に関係付けられている文字列を含むテキスト文章とがＷＷＷブラウザにより表示されたクライアント端末においてマルチメディアデータとの関係付けを解除したい文字列を指定して表示された前記文字列に関係付けられたマルチメディアデータとその識別情報の中から関係付けを解除したい任意のマルチメディアデータを選択的に指定した結果として前記任意のマルチメディアデータの識別情報と前記文字列をクライアント端未から受信し、
この受信したマルチメディアデータ識別情報と文字列で前記記憶手段を検索し、該当するマルチメディアデータ識別情報と文字列とのマルチメディアデータ関係付け情報を記憶手段から消去して解除する
ことを特徴とする請求項３記載のマルチメディアデータ用検索インデックスにおけるマルチメディアデータ多重関係付け方法。
【請求項５】
前記別のマルチメディアデータを複数のマルチメディアデータ中から選択して前記文字列に関係付ける処理は、マウス操作により複数のマルチメディアデータの中から前記別のマルチメディアデータを選択し、この別のマルチメディアデータをマウス押下で掴んでドラッグして前記文字列の所まで移動してからマウスを離すことにより行われることを特徴とする請求項１乃至４のいずれか１項に記載のマルチメディアデータ用検索インデックスにおけるマルチメディアデータ多重関係付け方法。
【請求項６】
前記マルチメディアデータとの関係付けを解除したい文字列の指定は、当該文字列をマウスでクリックして指定することを特徴とする請求項１１乃至５のいずれか１項に記載のマルチメディアデータ用検索インデックスにおけるマルチメディアデータ多重関係付け方法。
【請求項７】
検索インデックス用の文字列に対して複数のマルチメディアデータを関係付けるマルチメディアデータ用検索インデックスにおけるマルチメディアデータ多重関係付け装置であって、
マルチメディアデータに関係付けられている文字列を含むテキスト文章と複数のマルチメディアデータとを表示する文章マルチメディアデータ表示手段と、
前記文字列に対して別のマルチメディアデータを更に関係付けるために別のマルチメディアデータを複数のマルチメディアデータ中から選択して前記文字列に関係付ける関係付け手段と、
前記別のマルチメディアデータと文字列との関係付けを別のマルチメディアデータの識別情報と文字列とのマルチメディアデータ関係付け情報として登録する記憶手段と
を有することを特徴とするマルチメディアデータ用検索インデックスにおけるマルチメディアデータ多重関係付け装置。
【請求項８】
マルチメディアデータに関係付けられている文字列を含むテキスト文章を表示する文章表示手段と、
マルチメディアデータとの関係付けを解除したい文字列を指定する解除指定手段と、
この指定された文字列に関係付けられたマルチメディアデータとその識別情報が表示される解除用マルチメディアデータ表示手段と、
この表示されたマルチメディアデータとその識別情報の中から関係付けを解除したい任意のマルチメディアデータを選択的に指定すると、この指定されたマルチメディアデータの識別情報と前記文字列で前記記憶手段を検索し、該当するマルチメディアデータ識別情報と文字列とのマルチメディアデータ関係付け情報を記憶手段から消去して解除する解除手段と
を有することを特徴とする請求項７記載のマルチメディアデータ用検索インデックスにおけるマルチメディアデータ多重関係付け装置。
【請求項９】
検索インデックス用の文字列に対して複数のマルチメディアデータを関係付けるマルチメディアデータ用検索インデックスにおけるマルチメディアデータ多重関係付け装置であって、
サムネイル表示された複数のマルチメディアデータとマルチメディアデータが既に関係付けられている文字列を含むテキスト文章とがＷＷＷブラウザにより表示されたクライアント端末において前記文字列に対して別のマルチメディアデータを更に関係付けるために関係付け手段により別のマルチメディアデータを複数のマルチメディアデータ中から選択して前記文字列に多重に関係付け、この別のマルチメディアデータと文字列との関係付けを別のマルチメディアデータの識別情報と文字列との対応付け情報としてクライアント端末から受信する関係付け情報受信手段と、
この受信した別のマルチメディアデータ識別情報と文字列との対応付け情報をマルチメディアデータ関係付け情報として登録する記憶手段と
を有することを特徴とするマルチメディアデータ用検索インデックスにおけるマルチメディアデータ多重関係付け装置。
【請求項１０】
マルチメディアデータが既に関係付けられている文字列を含むテキスト文章がＷＷＷブラウザにより表示されたクライアント端末においてマルチメディアデータとの関係付けを解除したい文字列を解除指定手段によりクライアント端末で指定して表示された前記文字列に関係付けられたマルチメディアデータとその識別情報の中から関係付けを解除したい任意のマルチメディアデータを選択的に指定した結果として前記任意のマルチメディアデータの識別情報と前記文字列をクライアント端末から受信する解除情報受信手段と、
この受信したマルチメディアデータ識別情報と文字列で前記記憶手段を検索し、該当するマルチメディアデータ識別情報と文字列とのマルチメディアデータ関係付け情報を記憶手段から消去して解除する解除手段と
を有することを特徴とする請求項９記載のマルチメディアデータ用検索インデックスにおけるマルチメディアデータ多重関係付け装置。
【請求項１１】
前記関係付け手段は、マウス操作により複数のマルチメディアデータの中から前記別のマルチメディアデータを選択し、この別のマルチメディアデータをマウス押下で掴んでドラッグして前記文字列の所まで移動してからマウスを離すマウス操作手段を有することを特徴とする請求項７乃至１０のいずれか１項に記載のマルチメディアデータ用検索インデックスにおけるマルチメディアデータ多重関係付け装置。
【請求項１２】
前記解除指定手段は、前記文字列をマウスでクリックして指定するマウス指定手段を有することを特徴とする請求項７乃至１１のいずれか１項に記載のマルチメディアデータ用検索インデックスにおけるマルチメディアデータ多重関係付け装置。
【請求項１３】
請求項１乃至６のいずれか１項に記載のマルチメディアデータ用検索インデックスにおけるマルチメディアデータ多重関係付け方法をコンピュータに実行させることを特徴とするコンピュータ実行可能なマルチメディアデータ用検索インデックスにおけるマルチメディアデータ多重関係付けプログラム。
【発明の詳細な説明】
【技術分野】
【０００１】
本発明は、検索インデックス用の文字列に対して複数のマルチメディアデータを関係付けるマルチメディアデータ用検索インデックスにおけるマルチメディアデータ多重関係付け方法、装置およびプログラムに関する。
【背景技術】
【０００２】
従来、図１５に示すように、クライアント端末のディスプレイ３ａにおいてサムネイル用表示ページとして表示された複数の分割マルチメディアデータ１０５と検索インデックス用の文字列を含むテキスト文章１０１とをクライアント端末のディスプレイ３ａに表示し、この表示されたテキスト文章中の１つの文字列をマウス操作により選択して、符号５０５で示すように反転表示するとともに、この選択された文字列５０５に対して関係付けたい１つの分割マルチメディアデータ１０５ｃを複数の分割マルチメディアデータ１０５の中からマウス操作で選択し、この選択した分割マルチメディアデータ１０５ｃをマウス押下で掴んでドラッグして前記選択した文字列５０５の所まで移動してからマウスを離すことにより前記選択した文字列５０５に対して前記選択した分割マルチメディアデータ１０５ｃを関係付け、この文字列５０５と分割マルチメディアデータ１０５ｃの関係付けを文字列と分割マルチメディアデータ識別情報との対応付けによるマルチメディアデータ用の検索インデックスとしてデータベースに登録するとともに、また前記選択した文字列に対して前記分割マルチメディアデータを確認するためのハイパーリンクを設定するようにするものが提案されている（例えば、特許文献１参照）。
【特許文献１】特願２００２−２８７２４０号
【発明の開示】
【発明が解決しようとする課題】
【０００３】
上述した文字列とマルチメディアデータの関係付けにより、既に関係付けられた１つの特定の文字列に対して別のマルチメディアデータを関係付ける多重関係付けを行うためには、この既に関係付けられた前記特定の文字列を再びマウス操作で選択して反転表示する必要があるが、このために、既に関係付けが行われハイパーリンクが設定された前記特定の文字列をマウス操作で再び選択して反転表示することは、従来、ブラウザの表現方法の特性上非常に困難であるという問題がある。
【０００４】
更に詳しくは、既に関係付けが行われハイパーリンクが設定された前記特定の文字列をマウス操作で再び選択して反転表示しようとして、この特定の文字列のハイパーリンクエリアにマウスが入ると、リンク先に遷移したり、または操作禁止のアイコンが表示され、前記特定の文字列の反転表示を行うことができないという問題がある。
【０００５】
本発明は、上記に鑑みてなされたもので、その目的とするところは、既にマルチメディアデータの関係付けが行われハイパーリンクが設定された文字列に対して更に別のマルチメディアデータを多重に関係付けることができるマルチメディアデータ用検索インデックスにおけるマルチメディアデータ多重関係付け方法、装置およびプログラムを提供することにある。
【課題を解決するための手段】
【０００６】
上記目的を達成するため、請求項１記載の本発明は、検索インデックス用の文字列に対して複数のマルチメディアデータを関係付けるマルチメディアデータ用検索インデックスにおけるマルチメディアデータ多重関係付け方法であって、マルチメディアデータに関係付けられている文字列を含むテキスト文章と複数のマルチメディアデータとを表示手段に表示し、前記文字列に対して別のマルチメディアデータを更に関係付けるために別のマルチメディアデータを複数のマルチメディアデータ中から選択して前記文字列に多重に関係付け、前記別のマルチメディアデータと文字列との関係付けを別のマルチメディアデータの識別情報と文字列とのマルチメディアデータ関係付け情報として記憶手段に登録することを要旨とする。
【０００７】
請求項１記載の本発明にあっては、表示手段に表示されたテキスト文章中のマルチメディアデータに関係付けられた文字列に対して別のマルチメディアデータを複数のマルチメディアデータ中から選択して該文字列に対して別のマルチメディアデータを多重に関係付け、この別のマルチメディアデータの識別情報と文字列とのマルチメディアデータ関係付け情報として記憶手段に登録するため、前記文字列を例えばマウス操作で選択して反転表示する必要もなく、該文字列に対して別のマルチメディアデータを関係付けることが極めて簡単に行うことができる。
【０００８】
また、請求項２記載の本発明は、請求項１記載の発明において、マルチメディアデータに関係付けられている文字列を含むテキスト文書を表示手段に表示し、マルチメディアデータとの関係付けを解除したい文字列を指定すると、この指定された文字列に関係付けられたマルチメディアデータとその識別情報が表示手段に表示され、この表示されたマルチメディアデータとその識別情報の中から関係付けを解除したい任意のマルチメディアデータを選択的に指定すると、この指定されたマルチメディアデータの識別情報と前記文字列で前記記憶手段を検索し、該当するマルチメディアデータ識別情報と文字列とのマルチメディアデータ関係付け情報を記憶手段から解除することを要旨とする。
【０００９】
請求項２記載の本発明にあっては、表示手段に表示されたテキスト文章においてマルチメディアデータとの関係付けを解除したい文字列を指定すると、この指定された文字列に関係付けられたマルチメディアデータとその識別情報が表示され、この表示されたマルチメディアデータとその識別情報の中から関係付けを解除したい任意のマルチメディアデータを指定すると、このマルチメディアデータの識別情報と文字列とのマルチメディアデータ関係付け情報が記憶手段から解除されるため、文字列に複数のマルチメディアデータが関係付けられていても、不要なマルチメディアデータを簡単に削除することができる。
【００１０】
更に、請求項３記載の本発明は、検索インデックス用の文字列に対して複数のマルチメディアデータを関係付けるマルチメディアデータ用検索インデックスにおけるマルチメディアデータ多重関係付け方法であって、サムネイル表示された複数のマルチメディアデータとマルチメディアデータが既に関係付けられている文字列を含むテキスト文章とがＷＷＷブラウザにより表示されたクライアント端末において前記文字列に対して別のマルチメディアデータを更に関係付けるために別のマルチメディアデータを複数のマルチメディアデータ中から選択して前記文字列に多重に関係付け、この別のマルチメディアデータと文字列との関係付けを別のマルチメディアデータの識別情報と文字列との対応付け情報としてクライアント端末から受信し、この受信した別のマルチメディアデータ識別情報と文字列との対応付け情報をマルチメディアデータ関係付け情報として記憶手段に登録することを要旨とする。
【００１１】
請求項３記載の本発明にあっては、複数のマルチメディアデータとマルチメディアデータが既に関係付けられている文字列を含むテキスト文章が表示されたクライアント端末で別のマルチメディアデータを複数のマルチメディアデータ中から選択して文字列に多重に関係付け、この別のマルチメディアデータの識別情報と文字列との対応付け情報としてクライアント端末から受信し、マルチメディアデータ関係付け情報として記憶手段に登録するため、前記文字列を例えばマウス操作で選択して反転表示する必要もなく、該文字列に対して別のマルチメディアデータを関係付けることが極めて簡単に行うことができる。
【００１２】
請求項４記載の本発明は、請求項３記載の発明において、サムネイル表示された複数のマルチメディアデータとマルチメディアデータが既に関係付けられている文字列を含むテキスト文章とがＷＷＷブラウザにより表示されたクライアント端末においてマルチメディアデータとの関係付けを解除したい文字列をクライアント端末で指定して表示された前記文字列に関係付けられたマルチメディアデータとその識別情報の中から関係付けを解除したい任意のマルチメディアデータを選択的に指定した結果として前記任意のマルチメディアデータの識別情報と前記文字列をクライアント端末から受信し、この受信したマルチメディアデータ識別情報と文字列で前記記憶手段を検索し、該当するマルチメディアデータ識別情報と文字列とのマルチメディアデータ関係付け情報を記憶手段から解除することを要旨とする。
【００１３】
請求項４記載の本発明にあっては、クライアント端末でマルチメディアデータとの関係付けを解除したい文字列を指定して表示されたマルチメディアデータとその識別情報の中から関係付けを解除したい任意のマルチメディアデータを指定した結果として任意のマルチメディアデータの識別情報と前記文字列をクライアント端末から受信し、このマルチメディアデータ識別情報と文字列とのマルチメディアデータ関係付け情報を記憶手段から消去して解除するため、文字列に複数のマルチメディアデータが関係付けられていても、不要なマルチメディアデータを簡単に削除することができる。
【００１４】
また、請求項５記載の本発明は、請求項１乃至４のいずれか１項に記載の発明において、前記別のマルチメディアデータを複数のマルチメディアデータ中から選択して前記文字列に関係付ける処理が、マウス操作により複数のマルチメディアデータの中から前記別のマルチメディアデータを選択し、この別のマルチメディアデータをマウス押下で掴んでドラッグして前記文字列の所まで移動してからマウスを離すことにより行われることを要旨とする。
【００１５】
請求項５記載の本発明にあっては、マウス操作により複数のマルチメディアデータの中から別のマルチメディアデータを選択し、この別のマルチメディアデータをマウス押下で掴んでドラッグして文字列の所まで移動してからマウスを離すことによりマルチメディアデータの文字列への関係付けを行うため、マウス操作のみで極めて簡単に文字列への多重関係付けを行うことができる。
【００１６】
更に、請求項６記載の本発明は、請求項１乃至５のいずれか１項に記載の発明において、前記マルチメディアデータとの関係付けを解除したい文字列の指定が、当該文字列をマウスでクリックして指定することを要旨とする。
【００１７】
請求項６記載の本発明にあっては、マルチメディアデータとの関係付けを解除したい文字列の指定は該文字列をマウスでクリックして指定するため、マウス操作のみで簡単にマルチメディアデータとの関係付けを解除したい文字列を指定できる。
【００１８】
請求項７記載の本発明は、検索インデックス用の文字列に対して複数のマルチメディアデータを関係付けるマルチメディアデータ用検索インデックスにおけるマルチメディアデータ多重関係付け装置であって、マルチメディアデータに関係付けられている文字列を含むテキスト文章と複数のマルチメディアデータとを表示する文章マルチメディアデータ表示手段と、前記文字列に対して別のマルチメディアデータを更に関係付けるために別のマルチメディアデータを複数のマルチメディアデータ中から選択して前記文字列に関係付ける関係付け手段と、前記別のマルチメディアデータと文字列との関係付けを別のマルチメディアデータの識別情報と文字列とのマルチメディアデータ関係付け情報として登録する記憶手段とを有することを要旨とする。
【００１９】
請求項７記載の本発明にあっては、表示手段に表示されたテキスト文章中のマルチメディアデータに関係付けられた文字列に対して別のマルチメディアデータを複数のマルチメディアデータ中から選択して該文字列に対して別のマルチメディアデータを関係付け、この別のマルチメディアデータの識別情報と文字列とのマルチメディアデータ関係付け情報として記憶手段に登録するため、前記文字列を例えばマウス操作で選択して反転表示する必要もなく、該文字列に対して別のマルチメディアデータを関係付けることが極めて簡単に行うことができる。
【００２０】
また、請求項８記載の本発明は、請求項７記載の発明において、マルチメディアデータに関係付けられている文字列を含むテキスト文章を表示する文章表示手段と、マルチメディアデータとの関係付けを解除したい文字列を指定する解除指定手段と、この指定された文字列に関係付けられたマルチメディアデータとその識別情報が表示される解除用マルチメディアデータ表示手段と、この表示されたマルチメディアデータとその識別情報の中から関係付けを解除したい任意のマルチメディアデータを選択的に指定すると、この指定されたマルチメディアデータの識別情報と前記文字列で前記記憶手段を検索し、該当するマルチメディアデータ識別情報と文字列とのマルチメディアデータ関係付け情報を記憶手段から解除する解除手段とを有することを要旨とする。
【００２１】
請求項８記載の本発明にあっては、表示手段に表示されたテキスト文章においてマルチメディアデータとの関係付けを解除したい文字列を指定すると、この指定された文字列に関係付けられたマルチメディアデータとその識別情報が表示され、この表示されたマルチメディアデータとその識別情報の中から関係付けを解除したい任意のマルチメディアデータを指定すると、このマルチメディアデータの識別情報と文字列とのマルチメディアデータ関係付け情報が記憶手段から解除されるため、文字列に複数のマルチメディアデータが関係付けられていても、不要なマルチメディアデータを簡単に削除することができる。
【００２２】
更に、請求項９記載の本発明は、検索インデックス用の文字列に対して複数のマルチメディアデータを関係付けるマルチメディアデータ用検索インデックスにおけるマルチメディアデータ多重関係付け装置であって、サムネイル表示された複数のマルチメディアデータとマルチメディアデータが既に関係付けられている文字列を含むテキスト文章とがＷＷＷブラウザにより表示されたクライアント端末において前記文字列に対して別のマルチメディアデータを更に関係付けるために関係付け手段により別のマルチメディアデータを複数のマルチメディアデータ中から選択して前記文字列に多重に関係付け、この別のマルチメディアデータと文字列との関係付けを別のマルチメディアデータの識別情報と文字列との対応付け情報としてクライアント端末から受信する関係付け情報受信手段と、この受信した別のマルチメディアデータ識別情報と文字列との対応付け情報をマルチメディアデータ関係付け情報として登録する記憶手段とを有することを要旨とする。
【００２３】
請求項９記載の本発明にあっては、複数のマルチメディアデータとマルチメディアデータが既に関係付けられている文字列を含むテキスト文章が表示されたクライアント端末で別のマルチメディアデータを複数のマルチメディアデータ中から選択して文字列に多重に関係付け、この別のマルチメディアデータの識別情報と文字列との対応付け情報としてクライアント端末から受信し、マルチメディアデータ関係付け情報として記憶手段に登録するため、前記文字列を例えばマウス操作で選択して反転表示する必要もなく、該文字列に対して別のマルチメディアデータを関係付けることが極めて簡単に行うことができる。
【００２４】
請求項１０記載の本発明は、請求項９に記載の発明において、マルチメディアデータが既に関係付けられている文字列を含むテキスト文章がＷＷＷブラウザにより表示されたクライアント端末においてマルチメディアデータとの関係付けを解除したい文字列を解除指定手段によりクライアント端末で指定して表示された前記文字列に関係付けられたマルチメディアデータとその識別情報の中から関係付けを解除したい任意のマルチメディアデータを選択的に指定した結果として前記任意のマルチメディアデータの識別情報と前記文字列をクライアント端末から受信する解除情報受信手段と、この受信したマルチメディアデータ識別情報と文字列で前記記憶手段を検索し、該当するマルチメディアデータ識別情報と文字列とのマルチメディアデータ関係付け情報を記憶手段から消去して解除する解除手段とを有することを要旨とする。
【００２５】
請求項１０記載の本発明にあっては、クライアント端末でマルチメディアデータとの関係付けを解除したい文字列を指定して表示されたマルチメディアデータとその識別情報の中から関係付けを解除したい任意のマルチメディアデータを指定した結果として任意のマルチメディアデータの識別情報と前記文字列をクライアント端末から受信し、このマルチメディアデータ識別情報と文字列とのマルチメディアデータ関係付け情報を記憶手段から消去して解除するため、文字列に複数のマルチメディアデータが関係付けられていても、不要なマルチメディアデータを簡単に削除することができる。
【００２６】
また、請求項１１記載の本発明は、請求項７乃至１０のいずれか１項に記載の発明において、前記関係付け手段が、マウス操作により複数のマルチメディアデータの中から前記別のマルチメディアデータを選択し、この別のマルチメディアデータをマウス押下で掴んでドラッグして前記文字列の所まで移動してからマウスを離すマウス操作手段を有することを要旨とする。
【００２７】
請求項１１記載の本発明にあっては、マウス操作により複数のマルチメディアデータの中から別のマルチメディアデータを選択し、この別のマルチメディアデータをマウス押下で掴んでドラッグして文字列の所まで移動してからマウスを離すことによりマルチメディアデータの文字列への関係付けを行うため、マウス操作のみで極めて簡単に文字列への多重関係付けを行うことができる。
【００２８】
更に、請求項１２記載の本発明は、請求項７乃至１１のいずれか１項に記載の発明において、前記解除指定手段が、前記文字列をマウスでクリックして指定するマウス指定手段を有することを要旨とする。
【００２９】
請求項１２記載の本発明にあっては、マルチメディアデータとの関係付けを解除したい文字列の指定は該文字列をマウスでクリックして指定するため、マウス操作のみで簡単にマルチメディアデータとの関係付けを解除したい文字列を指定できる。
【００３０】
請求項１３記載の本発明は、請求項１乃至６のいずれか１項に記載のマルチメディアデータ用検索インデックスにおけるマルチメディアデータ多重関係付け方法をコンピュータ実行可能なマルチメディアデータ多重関係付けプログラムとしてコンピュータに実行させることを要旨とする。
【００３１】
請求項１３記載の本発明にあっては、請求項１乃至６のいずれか１項に記載のマルチメディアデータ用検索インデックスにおけるマルチメディアデータ多重関係付け方法をコンピュータ実行可能なマルチメディアデータ多重関係付けプログラムとして記録媒体に記録しているため、該記録媒体を用いて、その流通性を高めることができる。
【発明の効果】
【００３２】
以上説明したように、本発明によれば、表示手段に表示されたテキスト文章中のマルチメディアデータに関係付けられた文字列に対して別のマルチメディアデータを複数のマルチメディアデータ中から選択して該文字列に対して別のマルチメディアデータを関係付け、この別のマルチメディアデータの識別情報と文字列とのマルチメディアデータ関係付け情報として記憶手段に登録するので、前記文字列を例えばマウス操作で選択して反転表示する必要もなく、該文字列に対して別のマルチメディアデータを関係付けることが極めて簡単に行うことができる。
【００３３】
また、本発明によれば、表示手段に表示されたテキスト文章においてマルチメディアデータとの関係付けを解除したい文字列を指定すると、この指定された文字列に関係付けられたマルチメディアデータとその識別情報が表示され、この表示されたマルチメディアデータとその識別情報の中から関係付けを解除したい任意のマルチメディアデータを指定すると、このマルチメディアデータの識別情報と文字列とのマルチメディアデータ関係付け情報が記憶手段から消去して解除されるので、文字列に複数のマルチメディアデータが関係付けられていても、不要なマルチメディアデータを簡単に削除することができる。
【００３４】
更に、本発明によれば、複数のマルチメディアデータとマルチメディアデータが既に関係付けられている文字列を含むテキスト文章が表示されたクライアント端末で別のマルチメディアデータを複数のマルチメディアデータ中から選択して文字列に多重に関係付け、この別のマルチメディアデータの識別情報と文字列との対応付け情報としてクライアント端末から受信し、マルチメディアデータ関係付け情報として記憶手段に登録するので、前記文字列を例えばマウス操作で選択して反転表示する必要もなく、該文字列に対して別のマルチメディアデータを関係付けることが極めて簡単に行うことができる。
【００３５】
本発明によれば、クライアント端末でマルチメディアデータとの関係付けを解除したい文字列を指定して表示されたマルチメディアデータとその識別情報の中から関係付けを解除したい任意のマルチメディアデータを指定した結果として任意のマルチメディアデータの識別情報と前記文字列をクライアント端末から受信し、このマルチメディアデータ識別情報と文字列とのマルチメディアデータ関係付け情報を記憶手段から消去して解除するので、文字列に複数のマルチメディアデータが関係付けられていても、不要なマルチメディアデータを簡単に削除することができる。
【００３６】
また、本発明によれば、マウス操作により複数のマルチメディアデータの中から別のマルチメディアデータを選択し、この別のマルチメディアデータをマウス押下で掴んでドラッグして文字列の所まで移動してからマウスを離すことによりマルチメディアデータの文字列への関係付けを行うので、マウス操作のみで極めて簡単に文字列への多重関係付けを行うことができる。
【００３７】
更に、本発明によれば、マルチメディアデータとの関係付けを解除したい文字列の指定は該文字列をマウスでクリックして指定するので、マウス操作のみで簡単にマルチメディアデータとの関係付けを解除したい文字列を指定できる。
【００３８】
本発明によれば、マルチメディアデータ用検索インデックスにおけるマルチメディアデータ多重関係付け方法をコンピュータ実行可能なマルチメディアデータ多重関係付けプログラムとして記録媒体に記録してコンピュータに実行させるので、該記録媒体を用いて、その流通性を高めることができる。
【発明を実施するための最良の形態】
【００３９】
本発明に係るマルチメディアデータ多重関係付け方法では、マルチメディアデータに関係付けられている文字列を含むテキスト文章と複数のマルチメディアデータとを表示手段に表示し、前記文字列に対して別のマルチメディアデータを更に関係付けるために別のマルチメディアデータを複数のマルチメディアデータ中から選択して前記文字列に多重に関係付け、前記別のマルチメディアデータと文字列との関係付けを別のマルチメディアデータの識別情報と文字列とのマルチメディアデータ関係付け情報として記憶手段に登録するため、前記文字列を例えばマウス操作で選択して反転表示する必要もなく、該文字列に対して別のマルチメディアデータを関係付けることが極めて簡単に行うことができる。
【実施例】
【００４０】
以下、図面を用いて本発明の実施の形態を説明する。図１は、本発明のマルチメディアデータ用検索インデックスにおけるマルチメディアデータ多重関係付け方法を実施する装置の一実施形態に係る動画多重関係付け装置の構成を示すブロック図である。
【００４１】
同図に示す実施形態の動画多重関係付け装置は、インターネット５を介して接続されているクライアント端末３からの要求に応じて元動画を分割した複数の分割動画のうちの特定の分割動画に対して特定の文字列を関係付けて生成される検索インデックスにおいて既に関係付けられた前記特定の文字列に対して別の動画を関係付ける多重関係付けを行うものであり、元動画を複数の分割動画に分割する分割処理、ユーザ情報、検索インデックス、分割動画などの生成や管理、ユーザ認証などを行う動画編集サーバ１１と、テキスト文章の生成処理、コンテンツ関係付け処理などを行うアプリケーションサーバの機能に加えて多重関係付け機能および多重関係付け解除機能を有する多重関係付けサーバ１３０と、複数の分割動画のサムネイル表示用ページなどを配信するストリームサーバ１５から構成されている。また、本実施形態の動画多重関係付け装置は、インターネット５を介して一般のＷＷＷサーバのホームページ７１に接続されている。
【００４２】
図１に示す実施形態の動画多重関係付け装置は、図１５で説明したように、サムネイル表示用ページとして表示された複数の分割動画１０５とテキスト文章１０１とをクライアント端末３のディスプレイに表示し、この表示されたテキスト文章１０１中の特定の１つの文字列をマウス操作により選択して反転表示するとともに、この選択された文字列に対して関係付けたい特定の１つの分割動画を複数の分割動画の中からマウス操作で選択し、この選択した特定の分割動画をマウス押下で掴んでドラッグして前記選択した文字列の所まで移動してからマウスを離すことにより特定の文字列に対して特定の分割動画を関係付け、この特定の文字列と分割動画の関係付けを文字列と分割動画識別情報との対応付けによる動画用の検索インデックスとして動画インデックスデータベースに登録するとともに、また特定の文字列に対して特定の分割動画を確認するためのハイパーリンクを設定するという動画関係付け処理に対して前記特定の文字列に該当する任意の分割動画を更に関係付けるために任意の分割動画を複数の分割動画中から選択して特定の文字列に多重に関係付け、この任意の分割動画と特定の文字列との関係付けを該任意の分割動画の識別情報と特定の文字列との対応付け情報として動画関係付け情報として登録するという多重関係付け処理を行うものであるが、動画関係付け処理は、上述した特許文献１に詳細に記載されているものであるとともに、本実施形態の動画多重関係付け装置は、この動画関係付け処理に対して多重関係付け処理を実施するものであるため、多重関係付け処理関係の回路について主として図示し、動画関係付け処理関係の回路については一部省略されている。
【００４３】
また、クライアント端末３は、サムネイル用表示ページとして表示された複数の分割動画１０５と検索インデックス用の文字列を含むテキスト文章１０１とがＷＷＷブラウザにより表示され、テキスト文章１０１中の特定の文字列に対して特定の分割動画が既に関係付けられていると共に、該特定の文字列に特定の分割動画へのハイパーリンクが設定されている動画関係付け状態に関する動画関係付け機能部の回路については省略され、この動画関係付け状態において特定の文字列に任意の分割動画を更に関係付けるために任意の分割動画を複数の分割動画１０５の中から選択して特定の文字列に多重に関係付ける多重関係付けを行い、この任意の分割動画と特定の文字列との関係付けを関係付け動画名と関係付けテキスト文字列との対応付け情報としてユーザＩＤ等とともに動画多重関係付け装置の多重関係付けサーバ１３０に送信するものであって、分割動画に付与する検索インデックス用の文字列の存在するテキストコンテンツを選択するための指示（テキストコンテンツの存在するホームページのＵＲＬを含むテキストコンテンツ選択指示）を動画多重関係付け装置の多重関係付けサーバ１３０に対して行うテキストコンテンツ選択部３１、特定の文字列に対して特定の分割動画が既に関係付けられている動画関係付け状態において特定の文字列に任意の分割動画を更に関係付けるために任意の分割動画を複数の分割動画１０５の中から選択して特定の文字列に多重に関係付ける関係付け手段を構成する多重関係付け機能部３４、例えば利用者が予め撮影してクライアント端末３に保存しているように複数の元動画の中から検索インデックスの付与を行いたい所望の元動画１０３を選択する元動画選択部３５、および本動画多重関係付け装置を利用するユーザの認証を含む更新処理を実施する更新処理選択部３７を有する。なお、クライアント端末３は、テキスト文章、文字列、分割動画などを表示手段であるディスプレイに表示するが、この表示手段は文章動画表示手段、文章表示手段、解除用動画表示手段を構成しているものである。
【００４４】
更に、動画多重関係付け装置を構成する動画編集サーバ１１は、クライアント端末３で選択された元動画１０３をインターネット５を介して動画編集サーバ１１にアップロード（転送）する動画アップロード機能部１１１、この動画アップロード機能部１１１によりアップロードされて受信した元動画を複数の分割動画１、２、３、…ｎに分割する動画分割機能部１１３、クライアント端末３の更新処理選択部３７からの指示によりユーザ認証を行うユーザ認証機能部１２１、ユーザ情報を管理するユーザ管理データベース（ＤＢ）１２３、このユーザ管理データベース１２３に登録されているユーザ情報に基づきユーザの管理を行うユーザ管理機能部１２５、多重関係付けサーバ１３０からのデータに基づき動画検索インデックス用のデータ、具体的には元動画名、テキスト文章名、処理番号、分割動画名、選択文字列、検索キーワードなどを含む動画検索インデックス用のデータを作成するインデックスデータ作成機能部１１５、およびこのインデックスデータ作成機能部１１５で作成された動画検索インデックス用のデータを受け取って保存する動画インデックスデータベース（ＤＢ）１１７を有する。
【００４５】
また、多重関係付けサーバ１３０は、クライアント端末３のテキストコンテンツ選択部３１からのテキストコンテンツ選択指示（例えばテキストコンテンツの存在するホームページのＵＲＬを含む）を受信し、この指示に基づきテキストコンテンツを生成し、テキスト文章１０１としてクライアント端末３に転送するテキストコンテンツ生成機能部１３１、このテキストコンテンツ生成機能部１３１によりテキストコンテンツを生成するために参照され、本装置で利用可能なインターネット５上のホームページのＵＲＬ名、テキスト文章選択情報ファイル名、編集後ページファイル名をホームページ登録情報として保存しているホームページ登録情報データベース（ＤＢ）１３５、既に特定の文字列に対して特定の分割動画が関係付けられている動画関係付け状態において更に特定の文字列に任意の分割動画を関係付ける多重関係付けを行うとともに該特定の文字列に任意の分割動画へのハイパーリンクを設定表示する多重関係付けハイパーリンク表示機能部１３２、クライアント端末３におけるマウス操作により多重関係付けされた関係付けテキスト文字列、関係付け動画名、作成者ユーザＩＤ、作成者ユーザ権限を入力情報として受信し、これらの多重関係付け情報に通番および関係付け実施日情報を付与して関係付け定義ファイルデータベース（ＤＢ）１３９に記録する情報受信手段を構成する関係付け情報記録機能部１３４、クライアント端末３からの多重関係付け解除指示を関係付け通番とともに受信し、関係付け定義ファイルデータベース１３９に記録されている多重関係付けを解除する解除手段、解除情報受信手段を構成する多重関係付け解除機能部１３６、および文字列と分割動画との多重関係付け情報を含む関係付け情報を定義ファイルとして登録すると共に、前記テキストコンテンツ生成機能部１３１に処理番号、選択文字列、選択分割動画名を関係付け情報として供給する関係付け定義ファイルデータベース１３９を有する。
【００４６】
更に、ストリームサーバ１５は、動画編集サーバ１１の動画分割機能部１１３で分割作成された複数の分割動画１、２、３、…ｎのサムネイル表示用ページを生成し、このサムネイル表示用ページをインターネット５を介してクライアント端末３に転送するサムネイル表示機能部１５１を有する。なお、関係付け定義ファイルデータベース１３９および動画インデックスデータベース１１７は、記憶手段を構成しているものである。
【００４７】
次に、図２以降を参照して、以上のように構成される実施形態の動画多重関係付け装置の作用について説明する。
【００４８】
まず、本発明の動画多重関係付け処理について説明する前に、動画関係付け処理について説明する。
【００４９】
この動画関係付け処理では、まず、クライアント端末３においてテキストコンテンツ選択部３１により動画に関係付けるための検索インデックス用の文字列を含むテキスト文章であるテキストコンテンツを選択するために、テキストコンテンツの存在するホームページのＵＲＬを含むテキストコンテンツ選択指示をクライアント端未３のテキストコンテンツ選択部３１からインターネット５を介して動画多重関係付け装置の多重関係付けサーバ１３０のテキストコンテンツ生成機能部１３１に送信する（図１のステップＳ１１）。なお、図１においては、以下に説明する動作を示すステップ番号（Ｓ１１）〜（Ｓ３５）を図１中に記載して示す。
【００５０】
次に、多重関係付けサーバ１３０のテキストコンテンツ生成機能部１３１は、テキストコンテンツの存在するホームページのＵＲＬを含むテキスト文章選択指示を受信すると、この指示に含まれるＵＲＬに基づきホームページ登録情報データベース１３５、関係付け定義ファイルデータベース１３９およびインターネット５上のホームページ７１に設けられているＨＴＭＬ文章を使用して、テキスト文章を生成し（ステップＳ１３）、この生成したテキスト文章をインターネット５を介してクライアント端末３に表示すべく転送する（ステップＳ１５）。
【００５１】
クライアント端末３は、テキストコンテンツ生成機能部１３１からテキスト文章を受信すると、このテキスト文章を図１５において符号１０１で示すようにＷＷＷブラウザによりクライアント端末３のディスプレイ３ａに表示する。
【００５２】
次に、クライアント端末３において、ユーザがディスプレイ３ａに図１５のように示されている更新ボタンをマウスでクリックすると、クライアント端末３の更新処理選択部３７が駆動され、更新処理選択部３７からインターネット５を介して動画編集サーバ１１のユーザ認証機能部１２１にユーザ名およびパスワードが転送され、ユーザ認証機能部１２１においてクライアント端末３から転送されてきたユーザ名およびパスワードをユーザ管理データベース１２３に登録されているユーザ名およびパスワードと照合してユーザ認証を行う（ステップＳ１７）。
【００５３】
ユーザはクライアント端末３に表示された本装置の使用を可能とする表示をユーザ認証の結果として確認すると、参照ボタンをマウスでクリックし、元動画選択部３５により関係付けたい元動画の動画ファイルを選択する（ステップＳ１９）。この選択された元動画は図１５において左下に符号１０３で示すように表示される。なお、クライアント端末３のディスプレイ３ａの左下に表示された元動画１０３は単なる静止画でなく、実際に画像が動いている連続した動画として表示されているものである。
【００５４】
ユーザは、クライアント端末３のディスプレイ３ａに表示された元動画１０３を見て、ユーザは動画分割ボタンをマウスでクリックすると、先に選択した動画ファイルがインターネット５を介して動画編集サーバ１１に転送され、すなわち動画編集サーバ１１の動画アップロード機能部１１１にアップロードされる（ステップＳ２１）。
【００５５】
動画編集サーバ１１の動画アップロード機能部１１１は、クライアント端末３から元動画ファイルを受信すると、動画分割機能部１１３を呼び出し、元動画ファイルを動画分割機能部１１３に渡す（ステップＳ２３）。動画分割機能部１１３は、元動画ファイルを受け取ると、この元動画ファイルをシーン単位に分割し、複数の分割動画１、２、３、…ｎを生成する（ステップＳ２５）。
【００５６】
このように分割された複数の分割動画１、２、３、…ｎは、ストリームサーバ１５のサムネイル表示機能部１５１に供給され、ここで分割動画１、２、３、…ｎのサムネイル表示用ページが生成される（ステップＳ２７）。このサムネイル表示用ページは、サムネイル表示機能部１５１からインターネット５を介してクライアント端末３に転送され、クライアント端末３のディスプレイ３ａに符号１０５で示すように表示される（ステップＳ２９）。なお、このサムネイル表示された複数の分割動画１、２、３、…ｎも単なる静止画でなく、実際に画像が動いている連続した分割動画として表示されているものである。
【００５７】
このように複数の分割動画１、２、３、…ｎのサムネイル表示用ページがクライアント端末３のディスプレイ３ａに表示されると、ステップＳ１５で説明したように検索インデックス用の文字列を含むテキスト文章１０１が既にクライアント端末３のディスプレイ３ａに表示されているので、ユーザはマウスを用いて、テキスト文章１０１内の文字列と分割動画との関係付けを図１５で説明しているように行う（ステップＳ３１）。
【００５８】
すなわち、文字列と分割動画との関係付けでは、まずクライアント端末３のディスプレイ３ａに表示されたテキスト文章１０１中の所望の文字列（図１５では符号５０５で示す）をマウス操作で選択して反転表示する。それから、クライアント端末３のディスプレイ３ａにサムネイル表示用ページとして表示されている複数の分割動画１、２、３、…ｎのうちの前記文字列に関係する１つの分割動画を選んでマウス押下で掴み、マウス押下で掴んだまま、前記反転した文字列の真上の位置までマウス移動により移動させる（図１５では符号１０５ｃで示す）。そして、最後に、文字列の真上に分割動画１０５ｃを移動させた時点でマウスを分割動画１０５ｃから離し、これにより文字列５０５に分割動画１０５ｃを関係付ける。なお、マウスを分割動画から離すと同時に、マウスで掴まれていた分割動画は、サムネイル表示用ページの複数の分割動画の元の位置に戻る。
【００５９】
上述したように、文字列の真上でマウスを分割動画から離して、文字列を分割動画に関係付けると、この分割動画と関係付けられた文字列に関する情報、すなわち文字列と分割動画名との対応付け情報は、関係付けテキスト文字名、関係付け動画名、作成者ユーザＩＤ、作成者ユーザ権限情報等を含んで、クライアント端末３からインターネット５を介して多重関係付けサーバ１３０の関係付け情報記録機能部１３４に送信される（ステップＳ３３）。関係付け情報記録機能部１３４は、この関係付けられた文字列と分割動画名に関係付け通番および関係付け実施日情報を付加してファイルとして関係付け定義ファイルデータベース１３９に書き込む。
【００６０】
なお、関係付け定義ファイルデータベース１３９に書き込まれる文字列と分割動画名の関係付け情報は、関係付けが発生する発生順に、すなわち記録順または入力順に関係付け通番を割り当てられ、この関係付け通番と関係付け実施日情報とともに関係付け定義ファイルデータベース１３９に書き込まれるようになっている。従って、多重関係付けを表示する場合には、通番の大きい順、すなわち新しく関係付けられた順に分割動画を表示することが可能である。
【００６１】
また、関係付け情報記録機能部１３４は、前記関係付けられた文字列と分割動画名に対して更に元動画名、テキスト文書名、処理番号、検索キーワードを加えた情報を動画編集サーバ１１のインデックスデータ作成機能部１１５に供給し、インデックスデータ作成機能部１１５はこれらの情報を動画用の検索インデックスとして動画インデックスデータベース１１７に書き込む（ステップＳ３５）。なお、この場合の検索キーワードとしては、文字列が形態素解析され、文字列に含まれる単語が選択される。
【００６２】
また、上述したように、文字列と分割動画の関係付けが行われ、その文字列と分割動画名との対応付け情報が関係付け定義ファイルデータベース１３９および動画インデックスデータベース１１７に登録されると、文字列を含むテキストコンテンツが再表示され、これにより関係付け定義ファイルデータベース１３９に記述されている関係付け情報がテキストコンテンツに反映され、文字列に分割動画名へのハイパーリンクが設定される。
【００６３】
以上で動画関係付け処理は、終了するが、このように１つの文字列に対して１つの分割動画を関係付けた動画関係付け処理が完了した時点においては、図２に示すようにクライアント端末３のディスプレイ３ａに表示されているテキスト文章１０１の中の動画関係付けされるとともに分割動画へのハイパーリンクが設定されている文字列５０５の末尾に分割動画が符号５０７で示すように小さく表示される。なお、この小さく表示される分割動画はこの分割動画の中の１つの画像が静止画として表示されているものである。
【００６４】
次に、このように動画関係付け処理が行われた同じ１つの文字列５０５であり、上述したようにハイパーリンクが表示されている状態の文字列５０５に対して関係があると思われる別の１つの分割動画を多重に関係付ける多重関係付け処理が行われる。
【００６５】
この多重関係付け処理では、上記文字列５０５は、ハイパーリンクが設定されているので、この文字列５０５をマウス操作で再び選択して反転表示することは困難であるので、すなわち文字列のハイパーリンクエリアにマウスが入ると、リンク先に遷移したり、または操作禁止のアイコンが表示され、前記特定の文字列の反転表示を行うことができないので、図３に示すように、複数の分割動画１０５の中から関係付けたい別の所望の分割動画１０５ｇをマウス操作で選択し、この選択した分割動画１０５ｇをマウス押下で掴みドラッグして同じ文字列５０５の所まで移動してからマウスを離すことにより文字列５０５に対して別の所望の分割動画１０５ｇを関係付けることができる。
【００６６】
更に詳しくは、前記選択した分割動画１０５ｇをマウスでドラッグして文字列５０５の所まで移動し、マウスを離した場合に、このマウスを離した位置に多重関係付け処理の対象となるハイパーリンク設定された文字列が存在するか否かをチェックする。そして、このチェックの結果、ハイパーリンクの設定された文字列が存在する場合には、図４に示すように、多重関係付け処理の実施確認画面８１がクライアント端末３のディスプレイ３ａに表示され、前記文字列に更にリンクを追加するか否かの問合せが行われる。従って、ユーザはこの多重関係付け実施確認画面８１を見て、ＯＫボタンをマウス操作のクリックなどで選択すると、上述したように多重関係付けされた文字列５０５と分割動画１０５ｇの分割動画名との関係付けが文字列と分割動画名の対応付けによる動画用の検索インデックスとして関係付け通番および関係付け実施日情報とともに関係付け定義ファイルデータベース１３９に書き込まれるとともに、更に元動画名、テキスト文章名、処理番号、検索キーワードなどを加えられてインデックスデータ作成機能部１１５を介して動画インデックスデータベース１１７に登録される。
【００６７】
次に、多重関係付けサーバ１３０は、関係付け定義ファイルデータベース１３９に記録された情報を１行ずつ読み出し、現在クライアント端末３の画面に表示されているテキストコンテンツに対し、読み出したテキスト文字列に対して分割動画名をリンク先としてハイパーリンクを設定する。この場合、既にハイパーリンクが設定されている個所（多重関係付けが行われた個所）については、リンク先の分割動画の静止画がハイパーリンクの右横に小さな静止画として例えば図５において符号５０９で示すように横並びに表示され、これにより文字列５０５に対して２つの分割動画５０７と５０９が多重に関係付けられていることが図示される。
【００６８】
次に、上述したように、１つの文字列に対して複数の分割動画を多重関係付けたものに対して、この多重関係付けを解除する処理について図６を参照して説明する。
【００６９】
多重関係付け解除処理では、まず分割動画との関係付けを解除したい文字列のハイパーリンクをマウスでクリックすると、図６に示すように、関係付けられた分割動画の確認画面８３がクライアント端末３のディスプレイ３ａに表示される。従って、この確認画面８３の中から関係付けを解除したい分割動画をマウスで選択すると、この選択された分割動画が再生エリア８３ａに表示される。
【００７０】
それから、この再生エリア８３ａの下部分に表示されている「リンクを解除」ボタンをマウスでクリックすると、前記選択された分割動画の関係付け通番がクライアント端末３から多重関係付けサーバ１３０の多重関係付け解除機能部１３６に送信され、この関係付け通番の行の多重関係付け情報が関係付け定義ファイルデータベース１３９から削除され、更にハイパーリンクが解除され、クライアント端末３のディスプレイ３ａにおいて文字列５０５の右横に小さく表示されている静止画のうちの該当する静止画も消去される。
【００７１】
次に、図７以降の図面を参照して、各部の動作について詳しく説明する。
【００７２】
まず、図７を参照して、関係付け情報記録機能部１３４による関係付け情報の関係付け定義ファイルデータベース１３９への記録機能について説明する。
【００７３】
図３で説明したように、関係付け操作で取得された関係付けテキスト文字列、関係付け分割動画名、作成者ユーザＩＤ、作成者ユーザ権限は、クライアント端末３の多重関係付け機能部３４からインターネット５を介して関係付け情報記録機能部１３４に送信されて引き継がれる（ステップＳ７１）。そして、関係付け情報記録機能部１３４は、このクライアント端末３から受信して引き継いだ情報、すなわち関係付けテキスト文字列、関係付け分割動画名、作成者ユーザＩＤ、作成者ユーザ権限に基づき関係付け情報を関係付け定義ファイルデータベース１３９に記録する（ステップＳ７３）。
【００７４】
この記録処理は、更に詳しくは、まず（１）関係付け定義ファイルデータベース１３９に記録されているデータの中から最も大きい関係通番を取り出し、その通番に＋１し、書き込みのための関係付け通番を生成する、それから、（２）現在の日付と時刻を取得する。そして、最後に、関係付け通番、関係付けテキスト文字列、関係付け分割動画名、作成者ユーザＩＤ、作成者ユーザ権限、関係付け実施日（現在の日付と時刻）を図７の最下部の表に示すように関係付け定義ファイルデータベース１３９に追加記録する。
【００７５】
また、同様の関係付け情報の記録機能の処理フローについて図８に示すフローチャートを参照して詳しく説明する。まず、関係付け情報記録機能部１３４は、クライアント端末３から関係付けテキスト文字列、関係付け分割動画名、作成者ユーザＩＤ、作成者ユーザ権限を受け取る（ステップＳ８１）。それから、関係付け定義ファイルデータベース１３９の中から最も大きい関係通番を取り出す（ステップＳ８３）。そして、関係付け通番が取得できたか否かをチェックし（ステップＳ８５）、取得できた場合には、関係付け通番に＋１し（ステップＳ８７）、また取得できない場合には、関係付け通番を１にする（ステップＳ８９）。それから、現在の日付と時刻を取得し（ステップＳ９１）、関係付け通番、関係付けテキスト文字列、関係付け分割動画名、作成者ユーザＩＤ、作成者ユーザ権限、関係付け実施日（現在の日付と時刻）を関係付け定義ファイルデータベース１３９に迫加記録する（ステップＳ９３）。
【００７６】
このようにして関係付け定義ファイルデータベース１３９に記録される関係付け情報は、図９に示すように、関係付け通番９１、関係付け文字列９２、関係付け分割動画ファイル名９３、作成者ユーザＩＤ９４。作成者ユーザ権限９５、関係付け実施日９６、テキストコンテンツ番号９７からなり、それぞれがセミコロンの区切り記号で区切られて構成されている。このように構成することにより、多重関係付けを行い易い構造にしている。
【００７７】
すなわち、上述したように、関係付け定義ファイルデータベース１３９に書き込まれる文字列と分割動画名の関係付け情報は、関係付けが発生する発生順に、すなわち記録順または入力順に関係付け通番を割り当てられ、この関係付け通番と関係付け実施日情報とともに関係付け定義ファイルデータベース１３９に書き込まれるようになっている。従って、多重関係付けを表示する場合には、通番の大きい順、すなわち新しく関係付けられた順に分割動画を表示することが可能である。また、文字列と分割動画名の対は、関係付け操作の度にそのまま関係付け定義ファイルデータベース１３９に追加記録することにより、多重関係付けを表示する際、関係付け情報を昇順に処理していくことにより、文字列に関係付けられた分割動画のリンクが並列に表示できるようになっている。また更に、関係付け毎に文字列が含まれているテキストコンテンツを示す番号を持つことにより、現在クライアント端末３のディスプレイ３ａに表示されているテキストコンテンツに関わる関係付け情報のみを抽出することができるようになっている。
【００７８】
次に、多重関係付け機能についてまず図１０を参照して概略的に説明する。
【００７９】
まず、複数の分割動画１０５の中から関係付けたい別の所望の分割動画１０５ｇをマウス操作で選択し、図３で説明したように、この選択した分割動画１０５ｇをマウス押下で掴みドラッグし、関係付けたいハイパーリンク設定済みのテキスト文字列５０５の上に接近させる（ステップＳ１０１）。
【００８０】
それから、マウスを離し、現在のマウスの位置を取得する。この取得したマウスの位置にハイパーリンク設定済みのテキスト文字列５０５が存在するか否かをチェックし、存在している場合には、図４に示したように、多重関係付け実施確認画面８１を表示する（ステップＳ１０３）。
【００８１】
この多重関係付け実施確認画面８１に表示されているＯＫボタンがクリックされると、関係付けテキスト文字列、関係付け分割動画名、作成者ユーザＩＤ、作成者ユーザ権限をパラメータとして関係付け情報記録機能部１３４を呼び出す（ステップＳ１０５）。関係付け情報記録機能部１３４は、これらの情報に関係付け通番および関係付け実施日情報を付加して関係付け定義ファイルデータベース１３９に記録する。
【００８２】
また、同様の多重関係付け機能の処理フローについて図１１に示すフローチャートを参照して詳しく説明する。
【００８３】
まず、上述したように、この選択した分割動画をマウスでドラッグして文字列５０５の上に接近させ、マウスをアップすると、このマウスアップイベントが取得され、この現在のマウスの位置が取得される（ステップＳ１１１）。この取得したマウスの位置にハイパーリンクテキスト文字列が存在するか否かをチュックし（ステップＳ１１３）、存在しない場合には、本処理を終了するが、存在する場合には、上述したように多重関係付け実施確認画面８１を表示する（ステップＳ１１４）。
【００８４】
そして、この多重関係付け実施確認画面８１の表示に対してＯＫボタンがクリックされたか否かをチェックし（ステップＳ１１５）、ＯＫボタンがクリックされない場合、例えばキャンセルボタンなどがクリックされた場合などには、本処理を終了するが、ＯＫボタンがクリックされた場合には、関係付けテキスト文字列、関係付け分割動画名、作成者ユーザＩＤ、作成者ユーザ権限を取り出し（ステップＳ１１７）、これらの情報をパラメータとして関係付け情報記録機能部１３４を呼び出す（ステップＳ１１９）。関係付け情報記録機能部１３４は、これらの情報に関係付け通番および関係付け実施日情報を付加して関係付け定義ファイルデータベース１３９に記録する。
【００８５】
次に、図１２に示すフローチャートを参照して、多重関係付けハイパーリンク表示機能の処理フローについて説明する。
【００８６】
まず、関係付け定義ファイルデータベース１３９をオープンし（ステップＳ１２１）、該関係付け定義ファイルデータベースの最後の行まで読み込んだか否かをチェックする（ステップＳ１２３）。最後の行まで読み込んで本処理をすべてに対して終了した場合には、関係付け定義ファイルデータベースをクローズして本処理を終了するが（ステップＳ１２９）、最後の行まで読み込んでない場合には、関係付け定義ファイルデータベースから１行読み出し（ステップＳ１２５）、この読み出した行中に格納された関係付けテキスト文字列をキーにテキストコンテンツの内容を検索し、部分一致した位置に分割動画名へ遷移するアンカータグを挿入し、最初のステップＳ１２１に戻り、上記処理を関係付け定義ファイルデータベースのすべての行について繰り返し行う（ステップＳ１２７）。すべての行について本処理を行った場合には、関係付け定義ファイルデータベースをクローズして本処理を終了する（ステップＳ１２９）。なお、本処理を行なうことにより、図５で説明したように、リンク先の分割動画の静止画がハイパーリンクの右横に小さな静止画５０９として先に表示されている静止画５０７の横に並んで表示され、これにより文字列５０５に対して２つの分割動画５０７と５０９が多重に関係付けられていることが図示される。
【００８７】
次に、図１３を参照して、多重関係付け解除機能について説明する。
【００８８】
まず、分割動画との関係付けを解除したい文字列のハイパーリンクをマウスでクリックすると、図６で説明したように、関係付けられた分割動画の確認画面８３がクライアント端末３に表示されるので、この確認画面８３の中から関係付けを解除したい分割動画をマウスで選択すると、この選択された分割動画が再生エリア８３ａに画面Ａのように表示される（ステップＳ１３１）。
【００８９】
そこで、この表示された分割動画の下に表示されている「リンクを解除」ボタンをクリックすることにより、解除する分割動画の関係付け通番が多重関係付け解除機能部１３６へ引き継がれる（ステップＳ１３３）。
【００９０】
多重関係付け解除機能部１３６は、この引き継がれた関係付け通番と一致する行を関係付け定義ファイルデータベース１３９から検索し、その行を削除することにより、関係付けを解除することができる（ステップＳ１３５）。
【００９１】
また、同様の多重関係付け解除機能の処理フローについて図１４に示すフローチャートを参照して詳しく説明する。
【００９２】
まず、多重関係付け解除機能部１３６は、解除する分割動画の関係付け通番を受け取ると（ステップＳ１４１）、関係付け定義ファイルデータベース１３９から前記関係付け通番と一致する行を検索する（ステップＳ１４３）。この検索の結果、一致する行が検出されない場合には、本処理を終了するが、検出された場合には、この行を削除し、これにより前記文字列に関係付けられている分割動画の関係付けを解除する（ステップＳ１４７）。
【００９３】
なお、上記実施形態は、元動画を分割した分割動画を文字列に関係付ける場合について説明しているが、本発明は、分割動画に限られるものでなく、通常の互いに独立した動画でもよいものである。すなわち、上記実施形態で複数の分割動画として表示したものとして、分割された動画でない通常の独立した動画を複教表示しておき、この複数の動画の中から文字列に関係付ける動画を選択してもよいものである。
【００９４】
また、上記実施形態の処理手順をプログラムとして例えばＣＤやＦＤなどの記録媒体に記録して、この記録媒体をコンピュータシステムに組み込んだり、または記録媒体に記録されたプログラムを通信回線を介してコンピュータシステムにダウンロードしたり、または記録媒体からインストールし、該プログラムでコンピュータシステムを作動させることにより、動画多重関係付け装置として機能させることができることは勿論であり、このような記録媒体を用いることにより、その流通性を高めることができるものである。
【００９５】
尚、上記各実施形態では、ポインティングデバイスとして、マウスを一例に説明したが、本発明においてはトラックボール、ジョイスティック、トラックポイント、タッチパッド等の任意のポインティングデバイスを使用することが可能で有ることはいうまでも無いことである。
【図面の簡単な説明】
【００９６】
【図１】本発明の一実施形態に係わる動画用検索インデックスにおける動画多重関係付け方法を実施する装置である動画多重関係付け装置の構成を示すブロック図である。
【図２】図１に示す実施形態においてクライアント端末に表示されているテキスト文章中で動画関係付けされた文字列と分割動図を示す図である。
【図３】図１に示す実施形態の動画多重関係付け方法においてクライアント端末で既に分割動画が関係付けられている文字列に別の分割動画をドラッグして関係付ける操作を示す図である。
【図４】図３に示すように文字列に別の分割動画が関係付けられた場合に該文字列にリンクを追加するか否かを確認するための多重関係付け実施確認画面が表示されたクライアント端末の表示画面を示す図である。
【図５】図１に示す実施形態においてクライアント端末に表示されたテキスト文字列に２つの分割動画が多重に関係付けられた場合に該文字列の横に並んで２つの分割動画が表示されていることを示す図である。
【図６】図１に示す実施形態においてクライアント端末に表示されたテキスト文字列に２つの分割動画が多重に関係付けられている場合に、該文字列を指定すると、該文字列に関係付けられている分割動画の確認画面が表示されることを示す図である。
【図７】図１の実施形態において関係付け情報記録機能部による関係付け情報の関係付け定義ファイルデータベースヘの記録機能を説明するための図である。
【図８】図１の実施形態において関係付け情報記録機能部による関係付け情報の関係付け定義ファイルデータベースへの記録機能の処理手順を示すフローチャートである。
【図９】図１の実施形態において関係付け定義ファイルデータベースに記録されるテキスト文字列と動画との関係付け情報の構成を示す図である。
【図１０】図１の実施形態において多重関係付け機能を説明するための図である。
【図１１】図１の実施形態において多重関係付け機能の処理手順を示すフローチャートである。
【図１２】図１の実施形態において多重関係付けハイパーリンク表示機能の処理手順を示すフローチャートである。
【図１３】図１の実施形態において多重関係付け解除機能を説明するための図である。
【図１４】図１の実施形態において多重関係付け解除機能の処理手順を示すフローチャートである。
【図１５】クライアント端末に表示されたテキスト文字列に１つの分割マルチメディアデータが関係付けられている従来技術を示す説明図である。
【符号の説明】
【００９７】
３…クライアント端末
３ａ…ディスプレイ
５…インターネット
１１…動画編集サーバ
１５…ストリームサーバ
３１…テキストコンテンツ選択部
３４…多重関係付け機能部
３５…元動画選択部
１１１…動画アップロード機能部
１１３…動画分割機能部
１１５…インデックスデータ作成機能部
１１７…動画インデックスデータベース
１３１…テキストコンテンツ生成機能部
１３２…多重関係付けハイパーリンク表示機能部
１３４…関係付け情報記録機能部
１３６…多重関係付け解除機能部
１３９…関係付け定義ファイルデータベース
【図１】
2005084701.tif 000003
【図２】
2005084701.tif 000004
【図３】
2005084701.tif 000005
【図４】
2005084701.tif 000006
【図５】
2005084701.tif 000007
【図６】
2005084701.tif 000008
【図７】
2005084701.tif 000009
【図８】
2005084701.tif 000010
【図９】
2005084701.tif 000011
【図１０】
2005084701.tif 000012
【図１１】
2005084701.tif 000013
【図１２】
2005084701.tif 000014
【図１３】
2005084701.tif 000015
【図１４】
2005084701.tif 000016
【図１５】
2005084701.tif 000017